(57)【特許請求の範囲】
【請求項１】
テレビドアホンに接続可能なカメラコントロール装置であって、少なくとも１つ以上の監視カメラからの映像・音声信号を入力する映像・音声入力手段と、前記監視カメラに対応するセンサからの信号を検出するセンサ検出手段と、前記センサ検出手段でセンサ信号を検知すると前記テレビドアホンが起動しているか否かを判別する起動判別手段と、前記起動判別手段により前記テレビドアホンが起動していないと判別した場合には一定値のインピーダンスでの起動信号を送出し、前記起動判別手段により前記テレビドアホンが起動していると判別した場合には、前記映像・音声出力手段が送出する映像信号のブランキング部分に起動信号を乗せて送出する起動送出手段と、前記映像・音声入力手段で入力した前記監視カメラからの映像・音声信号を前記テレビドアホンに対して送出する映像・音声出力手段と、を備えたことを特徴とするカメラコントロール装置。
【請求項２】
前記起動送出手段が起動信号を出力した後に、前記起動判別手段により前記テレビドアホンが起動していないと判別した場合、前記映像・音声出力手段が映像・音声信号を前記テレビドアホンに送出しないように制御する制御手段を備えたことを特徴とする請求項１記載のカメラコントロール装置。
【発明の詳細な説明】
【０００１】
【発明の属する技術分野】
本発明は、接続された複数の監視カメラとそれに対応するセンサにより、前記センサの起動を受けて前記監視カメラの映像を接続したモニターテレビ等に写し出すためのカメラコントロール装置に関する。
【０００２】
【従来の技術】
従来、この種のカメラコントロール装置は、特開平９−１６２９９９号に記載されたようなものが知られていた。
【０００３】
図２はこのような従来のカメラコントロール装置の一例の構成を示している。図２において、１ａ，１ｂ，１ｃ，１ｄはマイク付の監視カメラ、２ａ，２ｂ，２ｃ，２ｄは監視カメラ１ａ，１ｂ，１ｃ，１ｄに対応して設置されているセンサであり、それぞれ２線によりカメラコントロール装置３に接続されている。また、４ａ，４ｂ，４ｃ，４ｄはカメラコントロール装置３にやはり２線により接続されているテレビモニターである。
【０００４】
前記カメラコントロール装置３は、監視カメラ１ａ，１ｂ，１ｃ，１ｄの映像・音声信号が入力される映像音声切替回路５と、映像音声切替回路５の信号を受けてテレビモニター４ａ，４ｂ，４ｃ，４ｄにそれぞれ映像音声信号を送出する映像音声出力回路６ａ，６ｂ，６ｃ，６ｄと、センサ２ａ，２ｂ，２ｃ，２ｄのセンサ起動検出回路７と、カメラコントロール８とを有して構成している。
【０００５】
次に、上記のように構成する従来装置の動作について説明する。図２において、常時は監視カメラ１ａ，１ｂ，１ｃ，１ｄからの映像・音声信号入力を映像・音声切替回路５により受けている。
【０００６】
そして、映像・音声切替回路５が受けた映像・音声信号を制御回路８により、監視カメラ１ａ，１ｂ，１ｃ，１ｄのうち予め設定された監視カメラ例えば１ａの映像を、テレビモニター４ａに出力するか、入力映像の自動出力切替を行い、監視カメラ１ａに映像を出力させる場合、１つの映像・音声信号を映像・音声出力回路６ａに出力し、テレビモニター４ａの入力に適合した信号形態により映像・音声出力回路６ａから出力される。
【０００７】
監視カメラ１ｂ，１ｃ，１ｄの場合も同様に、映像音声出力回路６ｂ，６ｃ，６ｄを経由して、それぞれ対応するテレビモニター４ｂ，４ｃ，４ｄに出力するようになっている。
【０００８】
また、４台の監視カメラ１ａ，１ｂ，１ｃ，１ｄの入力映像の自動切替の場合、制御回路８により映像・音声切替回路５により、順次入力された映像を映像・音声出力回路６ａ，６ｂ，６ｃ，６ｄのうち６ａへ出力し、テレビモニター４ａに監視カメラ１ａ，１ｂ，１ｃ，１ｄの入力映像を写し出し、それにより、テレビモニター４ａでは、固定の映像や複数の映像を順次見ることができるようになっている。
【０００９】
また、上記とは別に、センサ２ａ，２ｂ，２ｃ，２ｄのうちの１つでもその周囲に起きた何事かの異常状態によって起動すると、それを検出したセンサ起動検出回路７は、センサ２ａ，２ｂ，２ｃ，２ｄのうちどれが起動したかを制御回路８に知らせる。知らせを受けた起動回路８は起動したセンサが例えば２ａである場合にはセンサ２ａに対応している監視カメラ１ａの映像・音声信号だけを固定出力するように、映像・音声切替回路５を動作させ、映像・音声出力回路６ａに固定出力信号を送出する。固定出力された信号を受けた映像・音声出力回路６ａは通常のとおりテレビモニター４ａに映像・音声信号を出力し、センサ起動したセンサ２ａの周囲の映像のみを写しだすことになる。また、音声についても、テレビモニター４ａから聞くことができる。
【００１０】
【発明が解決しようとする課題】
しかしながら、上記のような従来のカメラコントロール装置では、専用のモニターテレビ４ｂ，４ｃ，４ｄが必要となり、このモニターテレビ４ｂ，４ｃ，４ｄを一般のテレビと併用していたとしても、センサ２ａ，２ｂ，２ｃ或いは２ｄが起動した場合には、わざわざ見ていたテレビのテレビモードをビデオモードに切り替える必要があり、一般住宅や店舗併用住宅などの監視責任者を置いていない小規模な監視システムには不向きであるといわざるを得ない。
【００１１】
本発明はこのような従来の問題を解決しようとするものであり、従来のカメラコントロール装置を利用した監視システムに、テレビドアホンを接続できるようにし、専用のカメラモニターの代わりに来客用のモニター画像に異常時の映像を映し出すことができるカメラコントロール装置を提供することを目的としている。
【００１２】
【課題を解決するための手段】
本発明は、上記目的に鑑み、テレビドアホンに接続可能なカメラコントロール装置において、少なくとも１つ以上の監視カメラからの映像・音声信号を入力する映像・音声入力手段と、監視カメラに対応するセンサからの信号を検出するセンサ検出手段と、このセンサ検出手段でセンサ信号を検知するとテレビドアホンが起動しているか否かを判別する起動判別手段と、この起動判別手段によりテレビドアホンが起動していないと判別した場合には一定値のインピーダンスでの起動信号を送出し、前記起動判別手段によりテレビドアホンが起動していると判別した場合には、前記映像・音声出力手段が送出する映像信号のブランキング部分に起動信号を乗せて送出する起動送出手段と、前記映像・音声入力手段で入力した監視カメラからの映像・音声信号をテレビドアホンに対して送出する映像・音声出力手段と、を設けたものである。
【００１３】
これにより、監視責任者を置いていない小規模な監視システムや一般住宅・店舗併用住宅でも、わざわざ専用のテレビモニターを準備すること無く、来客対応をテレビドアホンにより行うことができる。
【００１４】
【発明の実施の形態】
請求項１に記載の本発明は、テレビドアホンに接続可能なカメラコントロール装置であって、少なくとも１つ以上の監視カメラからの映像・音声信号を入力する映像・音声入力手段と、前記監視カメラに対応するセンサからの信号を検出するセンサ検出手段と、前記センサ検出手段でセンサ信号を検知すると前記テレビドアホンが起動しているか否かを判別する起動判別手段と、前記起動判別手段により前記テレビドアホンが起動していないと判別した場合には一定値のインピーダンスでの起動信号を送出し、前記起動判別手段により前記テレビドアホンが起動していると判別した場合には、前記映像・音声出力手段が送出する映像信号のブランキング部分に起動信号を乗せて送出する起動送出手段と、前記映像・音声入力手段で入力した前記監視カメラからの映像・音声信号を前記テレビドアホンに対して送出する映像・音声出力手段と、を備えて構成して、センサ信号を検出するとテレビドアホンの状態を判別することにより、最初に作動したセンサとは異なるセンサが、テレビドアホンの起動中に作動した場合にも、テレビドアホンに呼出信号を送出し、呼出音を鳴動させることができ、テレビドアホンのディスプレイにより、監視カメラの映像及び音声を確認することができる。
【００１６】
請求項２に記載の本発明は、請求項１記載のカメラコントロール装置において、前記起動送出手段が起動信号を出力した後に、前記起動判別手段により前記テレビドアホンが起動していないと判別した場合、前記映像・音声出力手段が映像・音声信号を前記テレビドアホンに送出しないように制御する制御手段を備えて構成するもので、テレビドアホンが接続されていない場合には、不要な回路が動作せず、消費電力を削減するという作用を有する。
【００１７】
以下、本発明の実施の形態について、図１を用いて説明する。
１１ａ，１１ｂ，１１ｃ，１１ｄはマイク付の監視カメラ、１２ａ，１２ｂ，１２ｃ，１２ｄは監視カメラ１１ａ，１１ｂ，１１ｃ，１１ｄに対応して設置されているセンサであり、それぞれ２線によりカメラコントロール装置１３に接続されている。また、１４ａ，１４ｂ，１４ｃ，１４ｄはカメラコントロール装置１３にやはり２線により接続されているテレビモニターである。
【００１８】
前記カメラコントロール装置１３は、監視カメラ１１ａ，１１ｂ，１１ｃ，１１ｄからの映像・音声信号をＴＶＤ映像・音声出力回路２２及び前記監視カメラ１１ａ，１１ｂ，１１ｃ，１１ｄにそれぞれ対応するモニター出力回路１６ａ，１６ｂ，１６ｃ，１６ｄに配信するカメラＩ／Ｆ回路１５と、センサ１２ａ，１２ｂ，１２ｃ，１２ｄのセンサ検出回路１７に接続されて、各センサ１２ａ，１２ｂ，１２ｃ，１２ｄの監視状態によりビデオスイッチ（Video SW）２３やアナログスイッチ（アナログＳＷ）２４を制御する制御回路１８と、ＴＶＤ起動送出回路２０と、起動判別回路２１とを有して構成しており、各回路は電源回路１９に接続している。
【００１９】
次に、上記のように構成する本発明の実施の形態におけるカメラコントロール装置の動作について説明する。図１において、センサ１２ａ，１２ｂ，１２ｃ，１２ｄのうち、例えば、センサ１２ａが作動すると、センサ検出回路１７がそれを検出し、制御回路１８にセンサ１２ａの作動状態を伝えると、制御回路１８はカメラＩ／Ｆ回路１５から出力されてくる映像・音声信号の中で監視カメラ１１ａの映像・音声信号をＴＶＤ映像・音声出力回路２２と各モニター出力回路１６ａ，１６ｂ，１６ｃ，１６ｄに出力するように、ビデオスイッチ２３やアナログスイッチ２４を制御すると共に、起動判別回路２１を介してテレビドアホン１０の起動状態を確認し、ＴＶＤ起動送出回路２０を介して、一定値のインピーダンスで起動信号を出力させる。
【００２０】
センサ１２ａが作動した監視カメラ１１ａの映像信号を入力したモニター出力回路１６ａ，１６ｂ，１６ｃ，１６ｄはそれぞれのテレビモニター１４ａ，１４ｂ，１４ｃ，１４ｄにNTSC信号を出力する。
【００２１】
また、起動信号を入力されたテレビドアホン１０は、呼出音を鳴動すると共に、カメラコントロール装置１３に直流電圧を給電する。この給電を起動判別回路２１で検出し、テレビドアホン１０に起動がかかったことを制御回路１８に伝える。制御回路１８はこれを受けてＴＶＤ映像・音声出力回路２２を介して映像・音声信号をテレビドアホン１０へ出力するように制御する。この制御により、テレビドアホン１０において、センサ１２ａに対応した監視カメラ１１ａの映像が確認できる。
【００２２】
さらに、センサ１２ａの作動によりテレビドアホン１０が起動した後、他のセンサ例えばセンサ１２ｂが作動しセンサ検出した場合、制御回路１８は起動判別回路２１の状態を検出してＴＶＤ起動送出回路２０を介して映像のブランキング部分に起動信号を乗せて出力され、この起動信号を入力したテレビドアホン１０が再呼出信号として検出し、再度呼出音を鳴動させる。その後、監視カメラ１１ｂからの映像・音声信号がＴＶＤ映像・音声出力回路２２を介してテレビドアホン１０尾入力され、テレビドアホン１０のディスプレイに監視カメラ１１ｂの映像が映し出される。センサ１２ｃ及びセンサ１２ｄが作動した場合も同様である。
【００２３】
さらにまた、テレビドアホン１０が接続されていない場合、センサ１２ａ，１２ｂ，１２ｃ或いは１２ｄがセンサ検出後、制御回路１８はＴＶＤ起動送出回路２０を介して、起動信号を出力するが、テレビドアホン１０側の起動がかからないことを起動判別回路２１で検出し、ＴＶＤ映像・音声出力回路２２に映像、音声信号の出力を停止するよう制御する。このため、ＴＶＤ映像・音声出力回路２２が不要に動作することを防ぎ、省電力、省ノイズを実現できる。
【００２４】
なお、上記において、４台の監視カメラ１１ａ，１１ｂ，１１ｃ，１１ｄ、センサ１１ａ，１１ｂ，１１ｃ，１１ｄ及びテレビモニター１４ａ，１４ｂ１４ｃ，１４ｄを使用したが、これに限定されるもので無く、接続回路を増やすことにより、これ以上の台数にも対応することができる。
【００２５】
【発明の効果】
以上のように、本発明によれば、カメラコントロール装置を一般住宅や店舗併用住宅など専用のテレビモニターが不要もしくは価格的かつスペース的に無理な場合でも、テレビドアホンシステムを組み合わせることができ、この組み合わせにより異常時の起動・喚起と監視映像をテレビドアホンで確認でき、このために、専用のテレビモニターを導入する必要が無く、かつテレビドアホンで来客対応が可能となる安価なシステムが実現できるという有利な効果を発揮することができる。
【図面の簡単な説明】
【図１】本発明による実施の形態におけるカメラコントロール装置の概略ブロック図
【図２】従来のカメラコントロール装置の概略ブロック図
【符号の説明】
１０  テレビドアホン
１１ａ，１１ｂ，１１ｃ，１１ｄ  マイク付監視カメラ
１２ａ，１２ｂ，１２ｃ，１２ｄ  センサ
１３  カメラコントロール装置
１４ａ，１４ｂ，１４ｃ，１４ｄ  テレビモニタ
１５  カメラＩ／Ｆ回路
１６ａ，１６ｂ１６ｃ，１６ｄ  モニター出力回路
１７  センサ検出回路
１８  制御回路
２０  ＴＶＤ起動送出回路
２１  起動判別回路
２２  ＴＶＤ映像・音声出力回路
【図１】
0003846660.tif 000002
【図２】
0003846660.tif 000003